(57)【要約】【課題】旋回流の発生を抑制する改良されたヘッダタンクを提供する。【解決手段】開示は、熱交換器のヘッダタンクに関する。ヘッダタンクは、媒体が流れる媒体室を区画形成するハウジングを含む。ヘッダタンクは、媒体室内に延び出す流れ制御部材をさらに含む。流れ制御部材は、媒体室内の媒体の旋回を減少させ、媒体室内の媒体の速度を減少させ、熱交換器の圧力損失を減少させている。流れ制御部材は、フィン、板部材などと呼ばれる。【選択図】図２
2020024080.tif 000002
【特許請求の範囲】
【請求項１】
媒体を流すための媒体室を区画形成するハウジングと、
前記媒体室内に延びる流れ制御部材であって、前記媒体室内における媒体の旋回を減少させ、前記媒体室内における媒体の速度を減少させ、圧力損失を減少させるように構成される流れ制御部材とを備える熱交換器のヘッダタンク。
【請求項２】
前記熱交換器は、ラジエータである請求項１に記載の熱交換器のヘッダタンク。
【請求項３】
前記ハウジングは、第１の側壁と、前記第１の側壁に対向する第２の側壁と、前記第１の側壁と前記第２の側壁とを接続する天井とを有する請求項１または請求項２のいずれかに記載の熱交換器のヘッダタンク。
【請求項４】
前記流れ制御部材は、前記天井から前記媒体室内に延び出している請求項３に記載の熱交換器のヘッダタンク。
【請求項５】
前記流れ制御部材は、前記第１の側壁および前記第２の側壁のうちの一方から前記媒体室内に延び出している請求項３に記載の熱交換器のヘッダタンク。
【請求項６】
前記流れ制御部材は、フィンである請求項１から請求項５のいずれかに記載の熱交換器のヘッダタンク。
【請求項７】
前記フィンは、前記媒体室を区画形成する前記ハウジングの第１の側壁、第２の側壁、および天井のうちの１つから前記媒体室内に延び出している請求項６に記載の熱交換器のヘッダタンク。
【請求項８】
前記フィンは、前記ハウジングの頂点から前記媒体室内に延び出している請求項６または請求項７に記載の熱交換器のヘッダタンク。
【請求項９】
前記流れ制御部材は、前記ハウジングの入口に対して一方側に位置づけられた第１部分と、前記入口に対して他方側に位置づけられた第２部分とを有する請求項１から請求項８のいずれかに記載の熱交換器のヘッダタンク。
【請求項１０】
前記流れ制御部材は、前記ハウジングの入口に対して一方側に位置づけられた複数の離間した第１部分と、前記入口に対して他方側に位置づけられた複数の離間した第２部分とを有する請求項１から請求項８のいずれかに記載の熱交換器のヘッダタンク。
【請求項１１】
前記流れ制御部材は、第１の流れ制御部材と、前記第１の流れ制御部材に対して平行に延びている第２の流れ制御部材とを備える請求項１から請求項１０のいずれかに記載の熱交換器のヘッダタンク。
【請求項１２】
媒体が流れる媒体室を区画形成し、第１の側壁と、第２の側壁と、第１の側壁と第２の側壁とを互いに接続する天井とを含むハウジングと、
第１の側壁、第２の側壁、および天井のうちの１つから媒体室内に延び出す流れ制御部材とを備え、
前記流れ制御部材は、媒体室内の媒体の旋回を減少させ、媒体室内の媒体の速度を減少させ、媒体の圧力損失を減少させる熱交換器のヘッダタンク。
【請求項１３】
前記流れ制御部材は、前記媒体室の長手方向に沿って延在している請求項１２に記載の熱交換器のヘッダタンク。
【請求項１４】
前記流れ制御部材は、前記天井から前記熱交換器のヘッダプレートに向かって延び出している請求項１２または請求項１３に記載の熱交換器のヘッダタンク。
【請求項１５】
前記流れ制御部材は、前記ヘッダプレートに到達する前に終了している請求項１４に記載の熱交換器のヘッダタンク。
【請求項１６】
前記流れ制御部材は、前記ヘッダタンクによって区画形成された入口に対して一方側に位置づけられた第１部分と、前記入口に対して他方側に位置づけられた第２部分とを有する請求項１２から請求項１５のいずれかに記載の熱交換器のヘッダタンク。
【請求項１７】
前記流れ制御部材は、前記ヘッダタンクによって区画形成された入口に対して一方側に位置づけられた複数の第１部分と、前記入口に対して他方側に位置づけられた複数の第２部分とを有する請求項１２から請求項１５のいずれかに記載の熱交換器のヘッダタンク。
【請求項１８】
前記流れ制御部材は、前記天井から延び出しており、前記ヘッダタンクの長手方向に沿って互いに平行に延びる２つの流れ制御部材としてのフィンを有する請求項１２から請求項１７のいずれかに記載の熱交換器のヘッダタンク。
【請求項１９】
前記流れ制御部材は、前記第１の側壁から前記媒体室内に延び出しており、前記流れ制御部材は、前記媒体室の長手方向に沿って延びており、前記第１の側壁に対して垂直に延び出している請求項１２から請求項１８のいずれかに記載の熱交換器のヘッダタンク。
【請求項２０】
前記流れ制御部材は、前記媒体室の長手方向の長さの全長未満にわたって延在している請求項１２から請求項１８のいずれかに記載の熱交換器のヘッダタンク。
【発明の詳細な説明】
【技術分野】
【０００１】
この明細書における開示は、熱交換器、とりわけヘッダタンクを有する熱交換器に関するものである。
【背景技術】
【０００２】
この項は、開示に関連する背景技術を提供するが、それは必ずしも従来技術ではない。
【０００３】
ラジエータのような熱交換器は、通常、冷却液が熱交換器のコアに達する前に通過する入口のヘッダタンクを有している。既存のヘッダタンクはそれらの意図された用途には適しているが、それらは依然として改良の対象である。例えば、現在のヘッダタンクの形状は時折ヘッダタンクを通って流れる冷却液を旋回させる。この旋回流は熱交換器内における圧力損失を増大させる。旋回する冷却液は、また、入口のヘッダタンク内の冷却液速度の増大を引き起こし、それはヘッダタンク内の管端部の侵食を促進する可能性がある。したがって、冷却液の旋回流の発生を抑制する改良されたヘッダタンク、およびヘッダタンクを備える熱交換器が求められている。そのようなヘッダタンクは、熱交換器の流体学的な圧力損失を減少させ、そしてヘッダタンクの内側の管端部における侵食の危険性を減少させるであろう。この開示は、冷却液をはじめとする媒体の旋回を抑制し、この明細書で説明されるように、そして当業者には理解されるように、多数のさらなる利点を提供する改良されたヘッダタンク、およびヘッダタンクを備える熱交換器を提供する。
【発明の概要】
【０００４】
この項は、概要を提供し、開示の全範囲またはその全特徴の包括的な開示ではない。
【０００５】
この開示は、熱交換器のヘッダタンクを含む。ヘッダタンクは、媒体が流れる媒体室を区画形成するハウジングを含む。ヘッダタンクは、媒体室内に延びる流れ制御部材をさらに含む。流れ制御部材は、媒体室内における媒体の流れの旋回を減少させ、媒体室内における媒体の速度を減少させ、そして熱交換器における媒体の圧力損失を減少させる。
【０００６】
さらに他の適用可能な領域は、ここで提供される説明から明らかになるであろう。この概要における説明および特定の実施形態は、図示のためだけを意図されており、この開示の範囲を限定するものではない。
【０００７】
この明細書における開示された複数の態様は、それぞれの目的を達成するために、互いに異なる技術的手段を採用する。請求の範囲およびこの項に記載した括弧内の符号は、後述する実施形態の部分との対応関係を例示的に示すものであって、技術的範囲を限定することを意図するものではない。この明細書に開示される目的、特徴、および効果は、後続の詳細な説明、および添付の図面を参照することによってより明確になる。
【図面の簡単な説明】
【０００８】
【図１】ヘッダタンクを含む熱交換器の斜視図である。
【図２】この開示に基づく流れ制御部材を含む図１のヘッダタンクの断面図である。
【図３】この開示に基づく流れ制御部材をヘッダタンクの入口の両側に有する図１のヘッダタンクの側面図である。
【図４】この開示に基づく複数の流れ制御部材をヘッダタンクの入口の両側に有するヘッダタンクの側面図である。
【図５】この開示に基づく互いに平行な２つの流れ制御部材を有するヘッダタンクの断面図である。
【図６】この開示に基づくヘッダタンクの側壁から媒体室内に延び出す流れ制御部材を有するヘッダタンクの断面図である。
【発明を実施するための形態】
【０００９】
複数の実施形態が、図面を参照しながら説明される。複数の実施形態において、機能的におよび／または構造的に対応する部分および／または関連付けられる部分には同一の参照符号、または百以上の位が異なる参照符号が付される場合がある。対応する部分および／または関連付けられる部分については、他の実施形態の説明を参照することができる。
【００１０】
以下、複数の実施形態を添付の図面を参照しながら詳細に説明する。
【００１１】
図１は例示的な熱交換器１０を示す。熱交換器１０は、ラジエータなどの任意の適切な熱交換器とすることができる。熱交換器１０は、この開示による入口側のヘッダタンク１２を含む。熱交換器１０は、さらに、出口側のヘッダタンク１４と、入口側のヘッダタンク１２と出口側のヘッダタンク１４との間にあるコア１６とを含む。入口側のヘッダタンク１２は、入口２２を区画形成するハウジング２０を含む。熱交換器１０に適した任意の冷却液が、入口２２を通ってヘッダタンク１２に導入される。冷却液は、熱交換のための媒体を提供する。冷却液は、ヘッダタンク１２からコア１６へ、そして最終的にヘッダタンク１４へ流れる。冷却液はその出口を通ってヘッダタンク１４を出る。
【００１２】
図２において、ハウジング２０は、互いにほぼ平行に延びる第１の側壁３０と第２の側壁３２とを含む。天井３４およびその頂部３６は、第１の側壁３０と第２の側壁３２とを互いに接続する。天井３４は概ね湾曲しており、その内面に頂部３６を有する。第１の足部４０は、第１の側壁３０から延び出している。第２の足部４２は、第２の側壁３２から延び出している。
【００１３】
ヘッダタンク１２のハウジング２０は、ヘッダプレート５０に連結されている。具体的には、第１の足部４０は、ヘッダプレート５０によって区画形成された第１の受入部５２内に着座している。第２の足部４２は、ヘッダプレート５０によって区画形成された第２の受入部５４内に着座している。ハウジング２０とヘッダプレート５０とは、協働して媒体室６０を区画形成している。媒体である冷却液は、入口２２を通して導入され、媒体室６０を通して流れる。
【００１４】
ヘッダタンク１２は、さらに、１つまたは複数の流れ制御部材を含む。流れ制御部材は、天井３４、第１の側壁３０、および第２の側壁３２のうちの１つまたは複数から媒体室６０内に延び出している。流れ制御部材は、媒体室６０内の冷却液の旋回を減少させ、媒体室６０内の冷却液の速度を減少させ、および／または、熱交換器１０における流体学的な圧力損失を減少させるように構成される任意の適切な流れ制御部材である。流れ制御部材は、例えば、任意の適切なフィンまたはリブであり得る。
【００１５】
図２の例では、流れ制御部材はフィン７０Ａである。フィン７０Ａは天井３４の頂部３６から媒体室６０内に延び出している。フィン７０Ａは、頂部３６からヘッダプレート５０に向かって延び出し、ヘッダプレート５０に到達する前に終端する。例えば、フィン７０Ａは天井３４からヘッダプレート５０までの経路の約３分の２にわたって延在することができる。フィン７０Ａは、ハウジング２０の長さに沿って任意の適切な距離にわたって延在している。多くの用途において、フィン７０Ａはハウジング２０の全長にわたって延びることはないであろう。フィン７０Ａは、ハウジング２０と一体的に固定されている。フィン７０Ａは、例えば、連続する樹脂材料によって、ハウジング２０と一体的に樹脂成形することができる。また、フィン７０Ａは、例えば、ハウジング２０とは別体の部品として準備され、任意の適切な方法でハウジング２０に取り付けることができる。
【００１６】
図３において、フィン７０Ａは、第１部分７０Ａを提供する。第１部分７０Ａは、入口２２に対して長手方向の一方側に位置づけられている。この場合、ハウジング２０は、流れ制御部材としての第２部分７０Ａ’を有する。第２部分７０Ａ’は、入口２２に対して長手方向の他方側に位置づけられている。言い換えると、フィン７０Ａは、第１部分７０Ａと、第２部分７０Ａ’とを有する。従って、入口２２は第１部分７０Ａと、第２部分７０Ａ’との間に位置づけられている。この開示は、第１部分７０Ａまたは第２の部分７０Ａ’のみを有する用途、ならびに、第１部分７０Ａおよび第２部分７０Ａ’の両方を有する用途を含む。
【００１７】
ハウジング２０は、一つの端部（図中の下端）において開口している樹脂製の容器である。ハウジング２０は、容器としての開口端に、第１の足部４０および第２の足部４２を位置づけている。細長い四辺形である環状の開口端は、主として、比較的長い２辺を第１の足部４０および第２の足部４２によって提供している。ハウジング２０は、連続する壁３０、３２、３４によって媒体が満たされる入口ギャラリを区画形成している。入口ギャラリは、第１の側壁３０、第２の側壁、および天井３４によって囲まれている。入口ギャラリは、さらに、長手方向両端の端部壁によって囲まれている。入口２２は、ハウジング２０の長手方向に対して直交する方向へ媒体を導入する管でもある。
【００１８】
フィン７０Ａは、頂部３６から延び出す片持梁状の板部材である。フィン７０Ａは、頂部３６に固定された固定端と、ヘッダプレート５０に対向して位置づけられた自由端とを有する。フィン７０Ａは、その両面に媒体の流れを整流するための平面を有する。フィン７０Ａは、図２および図３の縦方向、すなわちコア１６における媒体の流れ方向、すなわちヘッダタンク１２からコア１６への流入方向に沿って広がる平面を提供する。フィン７０Ａは、長手方向に沿って広がる平面を提供する。この結果、フィン７０Ａは、ハウジング２０からコア１６への流入方向、かつ、ハウジング２０の長手方向に沿って広がる平面を提供する。フィン７０Ａは、入口２２から長手方向へ離れて位置づけられている。フィン７０Ａは、入口２２から長手方向に沿って、ハウジング２０の一部範囲にだけ配置されている。フィン７０Ａがハウジング２０の一部範囲にだけ存在することにより、圧力損失の抑制が図られる。入口２２の管としての投影範囲には、フィン７０Ａは位置づけられていない。入口２２からハウジング２０内に流入した媒体は、入口２２の直後では、フィン７０Ａに衝突しない。媒体は、入口２２から離れ、入口ギャラリの中をハウジング２０の長手方向へ流れ始めると、フィン７０Ａが提供する平面によって整流される。
【００１９】
図４において、フィン７０Ａはハウジング２０の長手方向に沿って連続していなくてもよい。代わりに、フィン７０Ａは、入口２２の一方側に複数の離間した第１部分７０Ａと、入口２２の他方側に複数の離間した第２部分７０Ａ’とを含むことができる。
【００２０】
ヘッダタンク１２は複数の流れ制御部材を含むことができる。例えば、図５に示すように、ハウジング２０は、フィン７０Ａとして、第１フィン７０Ａと、第２フィン７０Ｂとを含むことができる。第１フィン７０Ａおよび第２フィン７０Ｂは両方とも、頂部３６の両側において天井３４に固定されており、天井３４から延び出す板部材である。第１フィン７０Ａおよび第２フィン７０Ｂは、互いにほぼ平行に、かつハウジング２０の長手方向軸に平行に延びている。図３および図４に例示した配置と同様に、第１フィン７０Ａおよび第２フィン７０Ｂは、入口２２の一方側に位置づけられた１つ以上の第１部分と、入口２２の他方側に位置づけられた１つ以上の第２部分とを含むことができる。第１フィン７０Ａおよび第２フィン７０Ｂは、両方とも、ハウジング２０と一体的に樹脂成形されてもよく、または任意の適切な方法でハウジング２０に取り付けられてもよい。いずれにおいても、ハウジング２０の完成品において、第１フィン７０Ａおよび第２フィン７０Ｂは、ハウジング２０に一体的に結合された部分である。
【００２１】
さらに図６において、流れ制御部材は、図示のように第１の側壁３０または第２の側壁３２から延び出すフィン７０Ｃによって提供することができる。フィン７０Ａと同様に、フィン７０Ｃは、入口２２の両側に第１部分と第２部分とを含むことができる。入口２２の両側にあるフィン７０Ｃの第１部分および第２部分は、それぞれひとつの連続した構造物として、または、複数の離間した構造物として提供される。連続した構造物としての２つのフィン７０Ｃは、図３に図示される第１部分７０Ａ、および、第２部分７０Ａ’と同様に、入口２２を挟む両側にそれぞれ位置づけられる。複数の離間した構造物としての２つのフィン７０Ｃは、図４に図示される複数の第１部分７０Ａ、および、複数の第２部分７０Ａ’と同様に、入口２２を挟む両側にそれぞれ位置づけられる。フィン７０Ｃは、第２の側壁３２に対して垂直に媒体室６０内に向けて延び出している。フィン７０Ｃは、任意の適切な距離にわたって媒体室６０内において延在することができ、第１の側壁３０に達する前に終端している。フィン７０Ｃは、任意の適切な方法で第１の側壁３０または第２の側壁３２に固定される。例えば、フィン７０Ｃは、樹脂成形などによって第１の側壁３０、または、第２の側壁３２と一体的に成形されるか、または任意の適切な方法でそれに取り付けられてもよい。ハウジング２０は、（１）図６に示すような単一のフィン７０Ｃのみ、（２）第２の側壁３２上の複数のフィン、（３）第１の側壁３０上の複数のフィン、または、（４）第１の側壁３０上の１つ以上のフィン、および、第２の側壁３２上の１つ以上のフィンといった多様な形態のフィン７０Ｃを備えることができる。
【００２２】
したがって、この開示は、媒体室６０内で旋回する冷却液の量を減らす流れ制御部材（１つまたは複数のフィン７０Ａ、７０Ａ’、７０Ｂ、７０Ｃなど）を含むヘッダタンク１２を提供する。具体的には、試験は、流れ制御部材（１つまたは複数のフィン７０Ａ、７０Ａ’、７０Ｂ、７０Ｃなど）が、熱交換器１０の圧力損失を少なくとも５％減少させることを示している。流れ制御部材７０Ａ、７０Ａ’、７０Ｂ、７０Ｃは、また、媒体室６０内の冷却液の速度を減少させ、それはヘッダタンク１２の内側の管端部における侵食の危険性を減少させる。さらに、圧力の低下は多数の効率化をもたらす。冷却液流れ抵抗の減少に起因して、例えば、より少ないエネルギーを必要とするより小さな冷却液ポンプを、熱交換器１０を通して冷却液を圧送するために使用することができる。
【００２３】
この開示は、また、１つまたは複数のフィン７０Ａ、７０Ａ’、７０Ｂ、７０Ｃなどの流れ制御部材が媒体室６０内の冷却液の旋回を低減するので、熱サイクル性能を有利な方向へ改善する。結果として、より多くの冷却液の流れがヘッダタンク１２の端部に到達することができ、したがって温度勾配が減少し、それによって熱サイクル性能が改善される。
【００２４】
上述の複数の実施形態の説明は、例示および説明のために提供されたものである。この開示は、網羅的であること、または開示を限定することを意図するものではない。特定の実施形態の個々の要素または特徴は、一般にその特定の実施形態に限定されないが、適用可能であれば、交換可能であり、特に示されていないまたは記載されていない場合でも選択された実施形態で使用できる。同じことは、多様に変化することができる。そのような変形は、開示からの逸脱とみなされるべきではなく、そのような変更のすべては、この開示の範囲内に含まれることが意図されている。
【００２５】
例示的な実施形態は、この開示が完全であるために提供されており、その範囲を当業者に完全に伝える。この開示の実施形態の完全な理解を提供するために、特定の構成部品、デバイス、および方法の例など、多くの具体的な詳細が示されている。特定の詳細を採用する必要はなく、例示的な実施形態は多くの異なる形態で実施することができ、いずれもこの開示の範囲を限定するものと解釈すべきでないことは、当業者には明らかであろう。いくつかの例示的な実施形態において、周知のプロセス（方法における段階）、周知のデバイス構造、および周知の技術は詳細には記載されていない。
【００２６】
この明細書で使用される用語は、特定の例示的な実施形態を説明する目的のためだけであり、限定することを意図するものではない。この明細書で使用されるように、単数形（定冠詞および不定冠詞）は、文脈が他に明白に示さない限り、複数形も含むことが意図されている。用語「備える」、「有する」、「含む」、および「持つ」は、包括的であり、従って、記載された特徴、整数、ステップ、操作、要素および／または構成部品の存在を特定するが、ひとつまたは複数の他の特徴、整数、ステップ、動作、要素、構成部品、および／またはそれらのグループの追加を除外しない。この明細書に記載の方法のステップ、プロセス、および動作は、特定の順序として具体的に特定されない限り、必ずしも説明または図示された特定の順序を必要とすると解釈されるべきではない。付加的または代替的なステップを用いることが可能であることも理解されるべきである。
【００２７】
ある要素または層が「上にある」、「連結されている」、「接続されている」または「結合されている」と言及されている場合、それは、他の要素、または他の層に対して、直接的に上に、連結され、接続され、または結合されていることがあり、さらに、介在要素または介在層が存在していることがある。対照的に、ある要素が別の要素または層に「直接的に上に」、「直接的に連結されている」、「直接的に接続されている」または「直接的に結合されている」と言及されている場合、介在要素または介在層は存在しない。要素間の関係を説明するために使用される他の言葉は、同様のやり方で（例えば、「間に」対「直接的に間に」、「隣接する」対「直接的に隣接する」など）解釈されるべきである。この明細書で使用される場合、用語「および／または」は、関連する列挙された１つまたは複数の項目に関する任意の組み合わせ、およびすべての組み合わせを含む。
【００２８】
第１、第２、第３などの用語は、様々な要素、構成部品、領域、層および／または区画を説明するために、この明細書で使用することができるが、これらの要素、構成部品、領域、層および／または区画はこれらの用語によって限定されるべきではない。これらの用語は、ある要素、構成部品、領域、層、または区画を、他の要素、構成部品、領域、層または区画から区別するためにのみ使用されてもよい。「第１」、「第２」および他の数値的な用語は、ここで使用される場合、文脈によって明白に示されない限り、手順または順序を意味するものではない。したがって、以下に説明する第１の「要素、構成部品、領域、層または区画」は、例示的な実施形態の教示から逸脱することなく、第２の「要素、構成部品、領域、層または区画」と呼ぶことができる。
【００２９】
空間的に相対的な用語「内」、「外」、「裏」、「下」、「低」、「上」、「高」などは、図示されているような、ひとつの要素または特徴の他の要素または特徴に対する関係を説明する記載を容易にするためにここでは利用されている。空間的に相対的な用語は、図面に描かれている向きに加えて、使用または操作中の装置の異なる向きを包含することを意図することができる。例えば、図中の装置がひっくり返されている場合、他の要素または機能の「下」または「裏」と記載された要素は、他の要素または機能の「上」に向けられる。したがって、例示された用語「下」は、上および下の両方の方向を含むことができる。この装置は、他の方向に向いていてもよく（９０度または他の向きに回転されてもよい）、この明細書で使用される空間的に相対的な記述子はそれに応じて解釈される。
【００３０】
この明細書には、以下に列挙する（１）〜（２０）の技術的思想が開示されている。
【００３１】
（１）媒体を流すための媒体室を区画形成するハウジングと、前記媒体室内に延びる流れ制御部材であって、前記媒体室内における媒体の旋回を減少させ、前記媒体室内における媒体の速度を減少させ、圧力損失を減少させるように構成される流れ制御部材とを備える熱交換器のヘッダタンク。
【００３２】
（２）前記熱交換器は、ラジエータである（１）に記載の熱交換器のヘッダタンク。（３）前記ハウジングは、第１の側壁と、前記第１の側壁に対向する第２の側壁と、前記第１の側壁と前記第２の側壁とを接続する天井とを有する（１）または（２）のいずれかに記載の熱交換器のヘッダタンク。（４）前記流れ制御部材は、前記天井から前記媒体室内に延び出している（３）に記載の熱交換器のヘッダタンク。（５）前記流れ制御部材は、前記第１の側壁および前記第２の側壁のうちの一方から前記媒体室内に延び出している（３）に記載の熱交換器のヘッダタンク。（６）前記流れ制御部材は、フィンである（１）から（５）のいずれかに記載の熱交換器のヘッダタンク。（７）前記フィンは、前記媒体室を区画形成する前記ハウジングの第１の側壁、第２の側壁、および天井のうちの１つから前記媒体室内に延び出している（６）に記載の熱交換器のヘッダタンク。（８）前記フィンは、前記ハウジングの頂点から前記媒体室内に延び出している（６）または（７）に記載の熱交換器のヘッダタンク。（９）前記流れ制御部材は、前記ハウジングの入口に対して一方側に位置づけられた第１部分と、前記入口に対して他方側に位置づけられた第２部分とを有する（１）から（８）のいずれかに記載の熱交換器のヘッダタンク。（１０）前記流れ制御部材は、前記ハウジングの入口に対して一方側に位置づけられた複数の離間した第１部分と、前記入口に対して他方側に位置づけられた複数の離間した第２部分とを有する（１）から（８）のいずれかに記載の熱交換器のヘッダタンク。（１１）前記流れ制御部材は、第１の流れ制御部材と、前記第１の流れ制御部材に対して平行に延びている第２の流れ制御部材とを備える（１）から（１０）のいずれかに記載の熱交換器のヘッダタンク。
【００３３】
（１２）媒体が流れる媒体室を区画形成し、第１の側壁と、第２の側壁と、第１の側壁と第２の側壁とを互いに接続する天井とを含むハウジングと、第１の側壁、第２の側壁、および天井のうちの１つから媒体室内に延び出す流れ制御部材とを備え、前記流れ制御部材は、媒体室内の媒体の旋回を減少させ、媒体室内の媒体の速度を減少させ、媒体の圧力損失を減少させる熱交換器のヘッダタンク。
【００３４】
（１３）前記流れ制御部材は、前記媒体室の長手方向に沿って延在している（１２）に記載の熱交換器のヘッダタンク。（１４）前記流れ制御部材は、前記天井から前記熱交換器のヘッダプレートに向かって延び出している（１２）または（１３）に記載の熱交換器のヘッダタンク。（１５）前記流れ制御部材は、前記ヘッダプレートに到達する前に終了している（１４）に記載の熱交換器のヘッダタンク。（１６）前記流れ制御部材は、前記ヘッダタンクによって区画形成された入口に対して一方側に位置づけられた第１部分と、前記入口に対して他方側に位置づけられた第２部分とを有する（１２）から（１５）のいずれかに記載の熱交換器のヘッダタンク。（１７）前記流れ制御部材は、前記ヘッダタンクによって区画形成された入口に対して一方側に位置づけられた複数の第１部分と、前記入口に対して他方側に位置づけられた複数の第２部分とを有する（１２）から（１５）のいずれかに記載の熱交換器のヘッダタンク。（１８）前記流れ制御部材は、前記天井から延び出しており、前記ヘッダタンクの長手方向に沿って互いに平行に延びる２つの流れ制御部材としてのフィンを有する（１２）から（１７）のいずれかに記載の熱交換器のヘッダタンク。（１９）前記流れ制御部材は、前記第１の側壁から前記媒体室内に延び出しており、前記流れ制御部材は、前記媒体室の長手方向に沿って延びており、前記第１の側壁に対して垂直に延び出している（１２）から（１８）のいずれかに記載の熱交換器のヘッダタンク。（２０）前記流れ制御部材は、前記媒体室の長手方向の長さの全長未満にわたって延在している（１２）から（１８）のいずれかに記載の熱交換器のヘッダタンク。
【符号の説明】
【００３５】
１０  熱交換器、
１２  ヘッダタンク、  １４  ヘッダタンク、  １６  コア、
２０  ハウジング、  ２２  入口、
３０  第１の側壁、  ３２  第２の側壁、  ３４  天井、  ３６  頂部、
４０  第１の足部、  ４２  第２の足部、
５０  ヘッダプレート、  ５２  第１の受入部、  ５４  第２の受入部、
６０  媒体室、
７０Ａ  フィン（流れ制御部材）、
７０Ａ’  フィン（流れ制御部材）、
７０Ｂ  フィン（流れ制御部材）、
７０Ｃ  フィン（流れ制御部材）。
【図１】
2020024080.tif 000003
【図２】
2020024080.tif 000004
【図３】
2020024080.tif 000005
【図４】
2020024080.tif 000006
【図５】
2020024080.tif 000007
【図６】
2020024080.tif 000008